(57)【要約】本発明は、ランジェリー品に関し、着用している時に前記ランジェリー品を保持することができる少なくとも１つの保持要素（３）を含み、前記保持要素（３）は、皮膚と接触することが意図されるその保持要素の内面（３１）上に、前記ランジェリー品が滑らないようにすることができるエラストマー材料製の不連続の被覆（４）を設けた繊維材料からなることを含む、ランジェリー品に関する。本発明によれば、エラストマー材料製の前記不連続の被覆（４）は、保持要素（３）の内面（３１）の参照系において全方向型の配向配置を有する、米粒形態のエラストマー材料製突起物（４１）のパターンを含み、前記突起物（４１）は、保持要素（３）の単位面積あたりの突起物密度が１平方センチメートルあたり少なくとも１０個の突起物、好ましくは、１０〜４０個であるような寸法及び配置を含む。【選択図】図２
2016527414.tif 000002
【特許請求の範囲】
【請求項１】
着用した際にランジェリー品を保持することができる少なくとも１つの保持要素（３）を備え、前記保持要素（３）が、繊維材料で構成され、皮膚と接触することが意図された内面（３１）上に、ランジェリー品を滑らないようにすることができるエラストマー材料製の不連続の被覆（４）で提供される、ランジェリー品（１）であって、
エラストマー材料製の前記不連続の被覆（４）は、前記保持要素（３）の前記内面（３１）の参照系において、全方向型配向配置を有する、複数の米粒形態のエラストマー材料製突起物（４１）のパターンを有し、
複数の前記突起物（４１）は、前記保持要素（３）の単位面積あたりの突起物密度が１平方センチメートルあたり少なくとも１０個の突起物、好ましくは１０〜４０個が含まれる、寸法及び配置を有することを特徴とする、
ランジェリー品（１）。
【請求項２】
複数の前記突起物（４１）の密度が、１平方センチメートルあたりの突起物が２５〜３６個であることを特徴とする、
請求項１に記載のランジェリー品。
【請求項３】
複数の前記突起物（４１）が、少なくとも１．５ｍｍ、好ましくは、２〜３ｍｍの間の長さを有することを特徴とする、
請求項１または２のいずれか一項に記載のランジェリー品。
【請求項４】
複数の前記突起物（４１）が、少なくとも０．５ｍｍ、好ましくは、１〜１．５ｍｍの幅を有することを特徴とする、
請求項１〜３のいずれか一項に記載のランジェリー品。
【請求項５】
複数の前記突起物（４１）が、少なくとも０．３ｍｍ、好ましくは、０．５〜１ｍｍの厚さを有することを特徴とする、
請求項１〜４のいずれか一項に記載のランジェリー品。
【請求項６】
隣接する２個の前記突起物（４１）間の距離が、０．５〜２ｍｍであることを特徴とする、
請求項１〜５のいずれか一項に記載のランジェリー品。
【請求項７】
隣接する複数の突起物間の相対的配向配置が、各前記突起物（４１）の隣接するそれぞれの突起物の配向とは著しく異なる配向を有するようになっていることを特徴とする、
請求項１〜６のいずれか一項に記載のランジェリー品。
【請求項８】
前記エラストマー材料がシリコーンまたはポリウレタンであることを特徴とする、
請求項１〜７のいずれか一項に記載のランジェリー品。
【請求項９】
前記ランジェリー品が、ブラジャー、特に肩紐のないブラジャーであり、
２個のカップ（２）が、前記ブラジャーの前記保持要素を構成する前記ブラジャーの前記背面（３）部分に、それぞれの外側で連結されることを含むことを特徴とする、
請求項１〜８のいずれか一項に記載のランジェリー品。
【請求項１０】
前記ランジェリー品が、靴下品であり、
前記靴下品が、当該保持要素を構成する縁リブまたは紐で終端することを特徴とする、
請求項１〜８のいずれか一項に記載のランジェリー品。
【発明の詳細な説明】
【技術分野】
【０００１】
本発明は、着用した際にランジェリー品を保持することができる少なくとも１つの保持要素を含む繊維ランジェリー品であり、かかる保持要素が、このランジェリー品を滑らないようにすることができるエラストマー材料製の不連続の被覆物を、皮膚と接触させることが意図された繊維材料の内面に設けて構成される、繊維ランジェリー品に関する。
【背景技術】
【０００２】
繊維ランジェリー品という用語は、例えば、ランジェリー品、特にブラジャー、とりわけストラップレス型、及び、ストッキング、膝丈ストッキング、ソックスさらにはハイソックスといった密着型靴下品の滑り止め機能を得るために、シリコーンタイプのエラストマー材料で補強され得る保持要素を用いて設計された、男性用または女性用の下着のあらゆる製品を意味する。
【０００３】
したがって、例えば、ストッキング頂部に、または「ストラップレス」と呼ばれる肩紐のないブラジャー背部であっても、シリコーンの被覆、特に、粘着（ｔａｃｋｙ）型、すなわち、接着（ａｄｈｅｓｉｖｅ）と粘着（ｓｔｉｃｋｙ）の中間の粘度（ｃｏｎｓｉｓｔｅｎｃｙ）（英語の用語によると“ｔａｃｋｙ（粘着性）”）のシリコーンの被覆を、体が動いてもランジェリー品を滑らせずに所定の位置に保持することを意図して設けることが知られる。ストッキング頂部の場合、この被覆は、好ましくは、ストッキング頂部の内面全体にわたり、連続的な表面付着物の形態で作製され、最適な滑り止め効果を得るために数センチメートルの長さと特定の厚みとを有する。「ストラップレス」ブラジャーに関しては、連続的なシリコーンバンドがブラジャー背部の縁部に沿って伸展され、例えば、背部上縁部に２本のシリコーンバンドを、及び下縁部に１本のシリコーンバンドを配して補強される。
【０００４】
現在、これらの条件下でのシリコーンを使用することが、使用者におおよそ重度の皮膚反応が現れることに直接関連していることがわかった。実際に、シリコーンは不透過性エラストマーであるので、皮膚をしっかりつかむシリコーンバンドは皮膚に有害な閉塞現象を誘発することで機能し、これにより、水分量の調節が妨げられ、外部環境との交換が遮断される。このような閉塞現象は過剰発汗を促進して皮膚を浸軟させるため、その表面が脆弱になる。さらに、体が動くと、皮膚とシリコーンとの間に弾性差がありながら皮膚上でシリコーンが擦れるため、シリコーンバンドによる皮膚へのはさみ作用（ｓｃｉｓｓｏｒｓ  ｅｆｆｅｃｔ）をもたらす。この擦れ（摩擦）と、先の閉塞現象とが相まって、急速に皮膚の炎症の源となり、これが発赤、微小な切傷（ｍｉｃｒｏ−ｃｕｔｓ）さらには水泡（表皮及び真皮の剥離）が現れることで発現し得る。
【０００５】
上述した望ましくない効果を抑えるために、ブラジャー背部でシリコーンバンドが占める表面積を最大限に減少させる試みはすでになされているが、ブラジャーの滑り止め特性を損ねている。
【０００６】
特許文献ＵＳ２００８／０２３６４１７には、靴下品を滑らせずに所定の位置に保持するための、シリコーン処理をした靴下品の縁部が教示されており、かかる縁部は、その内面に、皮膚と接触させることが意図された不連続のシリコーン被覆を備えている。この不連続の被覆は、靴下品の縁部表面上に星型の形態で付着させて配し、スクリーン印刷技術による模様を用いた、シリコーンの点と断片の繰り返しパターンにより形成されている。シリコーンの点と断片は、靴下品の縁部表面のかなりの部分を覆うよう配置されるため、シリコーンとその下にある皮膚との接触面積がかなり大きくなる一方、シリコーンの点と断片の間に空間が残されることで、皮膚の特定の呼吸能が維持される。しかしながら、このシリコーンパターンの存在により得られる粘着機能は最適ではなく、保持性及び快適性の面で使用者の期待が非常に大きな品目であるストラップレスブラジャーの背面部分に補足して使用したいという気を起こさせない。
【先行技術文献】
【特許文献】
【０００７】
【特許文献１】米国特許出願公開第２００８／０２３６４１７号明細書
【発明の概要】
【０００８】
したがって、本発明の目的は、先に述べた欠点を改善すること、並びに、有意に改善された皮膚への機械的粘着特性を達成するシリコーン処理済み保持要素を備え、その一方で、皮膚の閉塞症状を予防するにもかかわらず、着用時の皮膚の圧迫及び摩擦を相当に軽減し、なおかつ、さらなる快適性とさらなる信頼性を生み出す、繊維ランジェリー品を提案することである。
【０００９】
このため、かかるランジェリー品は、他の面で上記前文に記載の包括的定義に適合した繊維ランジェリー品であって、エラストマー材料製のこの不連続の被覆は、保持要素内面の参照系（ｒｅｆｅｒｅｎｃｅ  ｓｙｓｔｅｍ）において全方向型の配向配置を有する、米粒形状のエラストマー材料製突起物のパターンを含み、かかる突起物は、保持要素の単位面積あたりの突起物密度が１平方センチメートルあたり少なくとも１０個の突起物を含み、好ましくは、１平方センチメートルあたり１０〜４０個の突起物が含まれるような寸法及び配置を含むことを本質的に特徴とする。
【００１０】
したがって、本発明は、保持要素内面に配した特定形態のエラストマー材料製突起物に、保持要素内面の参照系におけるパターン内でかかる突起物の配向を特定に配置させること、及び、単位面積あたりの突起物密度を比較的高くすることを組み合わせることにある。突起物の形状、配向及びその密度といった、突起物に特有の特徴をこのように組み合わせることにより、シリコーン使用による上述のマイナス面に対応せずにすみ、改良利点、特に、着用時の粘着性及び快適性が保証される。
【００１１】
突起物密度は、有利に１平方センチメートルあたり２５〜３６個の突起物が含まれ得る。
【００１２】
これらの突起物は、有利には、少なくとも１．５ｍｍ、好ましくは、２〜３ｍｍの長さを有し得る。
【００１３】
これらの突起物は、有利には、少なくとも０．５ｍｍ、好ましくは、１〜１．５ｍｍの幅を有し得る。
【００１４】
これらの突起物は、有利には、少なくとも０．３ｍｍ、好ましくは、０．５〜１ｍｍの厚さを有し得る。
【００１５】
隣接する２個の突起物間の距離は好ましくは、０．５〜２ｍｍである。
【００１６】
隣接する突起物間の相対的配向の配置は、有利には、各突起物の配向が、それぞれの隣接する突起物の配向とは著しく異なるような配置である。
【００１７】
エラストマー材料は、有利には、シリコーンまたはポリウレタンである。
【００１８】
ランジェリー品は、有利には、ブラジャー、特に肩紐のないブラジャーであり、２個のカップを含み、それぞれの外側でブラジャー背面部分に連結され、ブラジャーを保持するためのこの要素を構成する。
【００１９】
ランジェリー品は、有利には靴下品であり、この靴下品のこの保持要素を構成する縁リブまたは紐で終端する靴下品でもあり得る。
【００２０】
本発明のその他の詳細及び利点は、以下の添付図面を参照する非限定的実施例が提供する、本発明の特定の実施形態についての下記記載を読むことにより、明らかとなるであろう。
【図面の簡単な説明】
【００２１】
【図１】本発明に従うブラジャーの概略斜視図である。
【図２】図１の円で囲んだ細部Ｄを上から見た拡大図である。
【発明を実施するための形態】
【００２２】
本発明の好ましい実施形態は、公知の型のストラップレスブラジャーに関する。したがって、本発明のこのストラップレスブラジャー１は、その内側表面が凹面（実質的に半球状）になった２個のカップ２を含み、これらは、その外側で、側部３で互いに連結されており、図示されていない留め具で互いに留めた時にブラジャー背面を形成する。したがって、背面のこれらの側部３は、ブラジャーの保持要素を構成するとともに、通例は肩紐により得られる保持を肩紐がなくても補うことができ、特に、しばらくの間着用した後もブラジャーが滑らないよう設計される。このために、皮膚と接触することが意図される、ブラジャー１の背面３部分の内面３１は、不連続のライニング４（ｌｉｎｉｎｇ、裏張り）で形成され、好ましくは、内面３１のかなりの部分を覆うように内面３１の双方向に伸展し、シリコーンまたはポリウレタン系のパターンでライニングした弾性繊維材料で構成される。不連続のライニングは好ましくは、背面３部分の内面３１を形成するための繊維材料上にスクリーン印刷により塗布される。
【００２３】
シリコーン製ライニング４の支持体として機能する弾性繊維材料は、有利には、非常に弾性があり、好ましくは、伸び率が１５０％以上、有利には１５０％〜３００％である。さらに、選択した繊維材料は、好ましくは低密度であり、それにより、繊維を介した空気の循環を可能にする高い機能がもたらされる。例えば、使用する繊維支持材料は、主に、ポリアミド繊維及びエラスタン繊維で構成される。
【００２４】
本発明に関係しているランジェリー品の種類、シリコーンライニング４の支持体として機能する保持要素の繊維材料は、必ずしも弾性である必要はなく、例えば、特に伸長性ではない伸縮性編地で構成され得ることに留意されたい。
【００２５】
図２は、背面３部分の内面３１上に配されたシリコーンライニング４の細部Ｄの拡大平面図を示す。図示されるように、ライニング４は、ブラジャー１の背面３部分の内面３１上で米粒形状または著しい楕円形の一般形状をした突起物４１を構成するシリコーンの点のパターンを含む。突起物４１の米粒形状は、特に、シリコーンと接触する皮膚表面を最適にするようアレンジされているため、良好な粘着性を促す。米粒形状のシリコーン突起物４１は、好ましくは、基本的に一定の寸法を有し、各突起物４１は、以下の幾何学的特徴を有利に有している。
−少なくとも１．５、有利には２〜３ｍｍ、好ましくは約２ｍｍの長さである。
−少なくとも０．５ｍｍ、有利には１〜１．５ｍｍ、好ましくは約１ｍｍの幅である。
−少なくとも０．３、有利には０．５〜１ｍｍ、好ましくは約１ｍｍの厚さである。
【００２６】
さらに、支持体として機能する弾性材料が非伸長状態にあるときの突起物４１の単位面積あたりの密度があらかじめ定められた突起物パターンが選択され、その密度は、１平方センチメートルあたりの点が１０個未満、有利には１０〜４０個含み、好ましくは１平方センチメートルあたり２５〜２６個の点を含む。
【００２７】
シリコーン突起物４１は、有利には、皮膚上で剪断動作を生じないよう、互いに連結されていない。突起物パターン内の隣接する突起物４１間の最小または最大距離は、それぞれ、好ましくは約０．５ｍｍまたは約２ｍｍであることも規定されている。
【００２８】
米粒形状の突起物４１のパターンにより、その粘着性が改善される一方、接近しすぎている閉塞箇所を回避しつつ、突起物と突起物の間に残された何もない皮膚表面の最適な配置を得ることもできる。
【００２９】
突起物４１が保持する米粒形状及び特定の寸法、並びにブラジャーの背面３部分の内面３１上の比較的高密度なその配置により、皮膚への粘着性を最適にできる、皮膚との大きな接触面積を確保することができるが、その面積は過剰ではないため、ブラジャーの背面部分の高い通気性を維持できる。これは、突起物４１間に残された多数の自由空間を介して皮膚と外部の交換が行われやすい事実によるもので、そのため、皮膚の炎症が回避され得る。
【００３０】
米粒形状の各突起物４１は、また、内面３１の参照系において見た場合に、突起物の長手方向軸の向いている方向により規定される、それぞれ独自の配向をパターン内に有している。本発明によれば、突起物４１の配向配置は、内面３１の平面内のそれぞれの配向が複数の異なる方向、好ましくは少なくとも異なる４方向、有利には少なくとも異なる５方向を規定する突起物４１が、内面３１の参照系におけるそのパターン内で必ず見られるようになっているという意味で、全方向性である。言い換えれば、突起物４１は、内面の平面内で見た場合に、複数の異なる方向同士、好ましくは少なくとも異なる４方向同士、有利には少なくとも異なる５方向同士でそれぞれが交互になっている配向を内面３１の平面内に有している。
【００３１】
さらに、隣接する突起物間の相対的配向配置は、パターン内で見た場合に、各突起物がそれぞれの隣接する突起物の配向とは著しく異なる配向を有するようになっている。
【００３２】
したがって、突起物４１のこうした全方向型配向配置は、ブラジャーを着用した際に、皮膚に対して良好に配された「引っ張り」効果の創出を有利に可能にし、特に、皮膚の炎症の予防に好ましい。
【００３３】
このような、パターン内での突起物４１の全方向型配向配置と、突起物４１の形状、寸法及び配置といったあらかじめ定められた特徴とを組み合わせることによる相乗効果により、さらに大きな粘着特性が達成され得ることも観察され得る。
【００３４】
閉塞現象及び剪断現象を抑えつつ粘着性を改善する態様に加え、記載したようなシリコーン製突起物４１のパターンは、補足的な美的効果を有利に提供し、同時に、かかる突起物が、ペーストタイプと同様の美的効果がある装飾要素を構成していることは極めて注目に値する。
【符号の説明】
【００３５】
１      ストラップレスブラジャー
２      カップ
３      側部
４      ライニング
３１    内面
４１    突起物
Ｄ      細部
【図１】
2016527414.tif 000003
【図２】
2016527414.tif 000004
【国際調査報告】
2016527414.tif 000005
2016527414.tif 000006
2016527414.tif 000007
2016527414.tif 000008